(57)【要約】【課題】  出水排水管及びレリースワイヤを通す枝管などを設けた排水クロス継手が狭いクリアランスの床下への配管施工ができるようにし、方向性のあるレリースワイヤを通す枝管の数あるパターンの排水クロス継手が部品点数を少なくして形成できるようすることにある。【解決手段】  上面に給水排水口を設け、側面部に出水排水管、レリースワイヤを通す枝管などが設けられた低い多角形柱でなる偏平な排水クロス継手であって、それが、その側面部に開口を形成した継手本体と、該開口を閉塞するキャップとでなり、該キャップが継手本体に密着接合されて用いられるものである。【選択図】図８
2007177593.tif 000002
【特許請求の範囲】
【請求項１】
上面部に給水排水口を形成し、側面部に出水排水管、レリースワイヤを通す枝管などが設けられた低い多角形柱でなる偏平な形態の排水クロス継手であって、それがその側面部に開口を形成した継手本体と、該開口を閉塞するキャップとでなり、該キャップが継手本体に密着接合されて用いられることを特徴とする排水クロス継手。
【請求項２】
偏平な多角形柱の形態は、出水排水管が配設位置される側面部には、角錐台状の排水ガイド部を形成し、その対称位置には、容積を大きくさせるためのほぼ立方体状の貯溜部が形成されたことを特徴とする請求項１記載の排水クロス継手。
【請求項３】
上面部に給水排水口を形成し、側面部に少なくとも出水排水管とレリースワイヤを通す枝管とを設けると共に、開口を形成した継手本体と、その開口を閉塞するキャップとからなることを特徴とする請求項１〜２のいずれか１項に記載の排水クロス継手。
【請求項４】
キャップに少なくともレリースワイヤを通す枝管が配設されていることを特徴とする請求項１〜２のいずれか１項に記載の排水クロス継手。
【請求項５】
キャップによる継手本体の開口への閉塞をするにあったて、上下方向、又は左右方向への方向の変更ができるキャップ及び開口の形態であることを特徴とする請求項１〜４のいずれか１項に記載の排水クロス継手。
【請求項６】
レリースワイヤを通す枝管が偏位置に配設されたキャップを継手本体の開口に密着接合し、キャップの上下方向、又は左右方向が変更されても開口を閉塞できるようにしたキャップ及び継手本体の開口の相互の形態であることを特徴とする請求項４〜５のいずれか１項に記載の排水クロス継手。
【発明の詳細な説明】
【技術分野】
【０００１】  本発明は、浴槽、洗面化粧台等の下水管への接続配管に用いられる排水クロス継手に係るものである。詳しくは、浴槽、洗面ボールの排水金具とに接続する排水管の屈曲管として床下に設置される偏平な排水クロス継手に関するものである。
【背景技術】
【０００２】  浴槽、洗面化粧台等において、溜り水を排水する場合には、浴槽、洗面ボールの排水金具に接続される排水管を経て、排水トラップなどを介して下水管へ排水されるようになっている。
浴槽、洗面ボールの排水口にガイドパッキンを介して排水金具を差し込むと共に、排水口より裏面に突出する排水金具下部分に固定ナットを螺合されることによって、浴槽、洗面ボールに排水金具が取り付けられ、その排水金具下部分に排水管の排水クロス継手が螺合などして取り付けられる。（特許文献１）【０００３】
【特許文献１】  実開平２−６７７７号
【０００４】  近年の高齢化が進み、排水栓の開閉操作を簡便且つ容易にできるようにするために、排水栓の開閉を遠隔操作で行い得るものである。この遠隔操作には、レリースワイヤを必要とし、このレリースワイヤを排水管の配管にセットするため、レリースワイヤを通す枝管が排水クロス継手に設けられたものがある。【０００５】  また、浴槽などでは、浴槽下の排水管の配管空間に制約があり、更に、この浴槽下の配管空間をより狭められる傾向から、必要上、これに配管される排水クロス継手は薄形の偏平なものになる傾向がある。【０００６】  そして、偏平なものにもかかわらず排水性を損なわない低廉な排水クロス継手が求められ、そのような排水金具下部分に螺合などして取り付けられる排水クロス継手は、この取り付けのための給水排水口を形成した排水クロス継手の上面部となる環状鍔部と、該環状鍔部を固着する上面部が開口され、側面部に出水排水管及びレリースワイヤを通す枝管が設けられた偏平な継手本体とでなるものである。そして給水排水口の筒部と出水排水管の入口との間に排水回り込み空間を形成して、薄形の偏平な排水クロス継手であっても排水性を向上させることのできるようにしたものである。（特許文献２）【０００７】
【特許文献２】  特開平８−３３８０５４号
【発明の開示】
【発明が解決しようとする課題】
【０００８】  高齢化が進み、床に段差をなくす住宅設計がされる現状では、床下のクリアランスが狭められるために薄形とし、また、排水栓の開閉を遠隔操作するために、レリースワイヤを通す枝管が設けられた、このような排水クロス継手を成形するには難しく、その上、配管施工するにも困難を要することであった。
そこで、構造の薄形で複雑な排水クロス継手を上面部を開口した継手本体とその開口を塞ぐ環状鍔部との分割成形をすることで、成形性の向上ができるようになった。しかし、そのようなものが成形できたとしても、この排水クロス継手の継手本体が薄形とされたために、その容積を小さくさせてしまって、この容積の排水による出水排水管への吐出力の減少がされ、流れを悪くしている。【０００９】  また、このような排水クロス継手は、継手本体の上面部に環状鍔部が固着した構造になっているので、環状鍔部を浴槽に取り付けて、堅固な固定がされると、配管施工などで、側方へ長く突出している出水排水管への応力が加わると、テコ作用で大きな反力を生じて、環状鍔部の継手本体への固着部分が亀裂され易くなっていた。【００１０】  また、出水排水管及びレリースワイヤを通す枝管が設けられている排水クロス継手を狭いクリアランスの床下などへ配管施工ができるようになっていたとしても、出水排水管及びレリースワイヤを通す枝管には方向性があって、これを解消するためには、複数種のパターンの排水クロス継手を用意しておかなければならないという不都合があった。
【課題を解決するための手段】
【００１１】  本発明は、床下のクリアランスが狭い状態であっても、薄い偏平は排水クロス継手にすることによって、配管施工をしやすくすることができ、また、薄い偏平なものであったとしても出水排水管よりの排水の吐出力が減退を起さない構造にする。そして、出水排水管及びレリースワイヤを通す枝管の位置が異なる種々のパターンであっても、その配管施工に出水排水管レリースワイヤを通す枝管の位置を特定するごく数種の継手本体とキャップとを用意するだけで、これらを組み合わせることによって、複数種のパターン配管施工ができるようにする排水クロス継手を提供することにある。【００１２】  請求項１記載の排水クロス継手は、上面部に給水排水口を形成し、側面部に出水排水管、レリースワイヤを通す枝管などが設けられた低い多角形柱でなる偏平な形態の排水クロス継手であって、それがその側面部に開口を形成した継手本体と、該開口を閉塞するキャップとでなり、該キャップが継手本体に密着接合されて用いられるようにしたものである。【００１３】  請求項２記載の排水クロス継手は、偏平な多角形柱の継手本体の形態が出水排水管の配設位置する側面部には、角錐台状の排水ガイド部を形成し、その対称位置には、容積を大きくするためのほぼ立方体状の貯溜部が形成されたものである。【００１４】  請求項３記載の排水クロス継手は、上面部に給水排水口を形成し、側面部に少なくとも出水排水管とレリースワイヤを通す枝管とを設けると共に、開口を形成した継手本体と、その開口を閉塞するキャップとからなるものである。【００１５】  請求項４記載の排水クロス継手は、キャップに少なくともレリースワイヤを通す枝管が配設されているものである。【００１６】  請求項５記載の排水クロス継手は、キャップによる継手本体の開口への閉塞をするにあたって、上下方向、又は左右方向への方向の変更ができるキャップ及び開口の形態であるものである。【００１７】  請求項６記載の排水クロス継手は、レリースを通す枝管が偏位置に配設されたキャップを継手本体の開口に密着接合し、キャップの上下方向、又は左右方向が変更されても開口を閉塞できるキャップ及び継手本体の開口の相互形態であるものである。
【発明の効果】
【００１８】  本発明の排水クロス継手は、側面部に開口を形成した継手本体と、その開口が閉塞されるキャップとでなる薄形の偏平なものであるので、複雑な構造となっていても、継手本体とキャップとを別々に成形することができ、成形加工しやすく、また、継手本体は、ほぼ立方体状の貯溜部を設けることによって貯溜容積を大きくし、出水排水管からの吐出力を増大させ、且つ、出水排水管の配設位置に排水ガイド部を設けることで、出水排水管への吐出が渦流を起すことなく流暢な流れにすることができる。
そして、出水排水管及びレリースワイヤを通す枝管などが、その排水クロス継手の側面部に形成されて、方向性を生じることになったとしても、ごく数種の継手本体とキャップとを用意するだけで、これらを組合せることで複数種のパターン状態の配管施工が容易にできるものである。
【発明を実施するための最良の形態】
【００１９】  以下、本発明の排水クロス継手の実施形態を図面に基づいて説明する。【００２０】  第１図は、排水クロス継手の取り付け状態を示すものであって、浴槽Ａの排水口Ａ１にガイドパッキンＰを介して排水金具Ｂを差し込み、排水口Ａ１より裏面に突出した排水金具の下部分に止水パッキンＮを介して、排水金具下部分に排水クロス継手Ｃが螺合などして取り付けられている。【００２１】  排水口Ａ１に設置された排水栓Ｖを遠隔操作するためにレリースワイヤＷが排水栓Ｖより支持体Ｍを介して浴槽リム面Ａ２の遠隔操作部分Ｓに取り付けられ、このレリースワイヤＷは、排水クロス継手Ｃのレリースワイヤを通す枝管４、そしてそれに接続されたチューブＴを通して浴槽リム面Ａ２に至らしめている。【００２２】  排水クロス継手Ｃは、図２、図３、図４及び図５、図６、図７に示すように、継手本体１、１１と、キャップ２、２１とで構成されている。
継手本体１、１１は、低い多角形柱でなる偏平な形態をしており、この偏平な多角形状の形態は、出水排水管５が配設位置されつ側面部には、角錐台状の排水ガイド部１４を形成し、その対称位置には、容積が大きくされるためのほぼ立方体状の貯溜部１５を形成し、該貯溜部１５の側面部には、キャップ２、２１で閉塞される開口１２を形成し、このキャップ２、２１の上下方向、又は左右方向を変更しても閉塞できる状態の開口１２の形態とするために、開口１２の片側部には凸部分１３を形成している。
そして、この継手本体１、１１の上面部には、給水排水口３を設け、その給水排水口３に螺合ネジ３１が刻設され、排水金具下部分へ螺合などして接続される。
継手本体１、１１の排水ガイド部１４には、該継手本体１、１１の高さ寸法より多少大きな径の出水排水管５が配設され、図２、３、４による継手本体１では、レリースワイヤを通す枝管４を出水排水管５に並設する。【００２３】  キャップ２、２１は、継手本体１、１１の開口１２に密着接合されるよう弓状を呈し、その上下方向、又は左右方向を変更しても密着接合に支障しない形態とし、図５、６、７によるキャップ２１では、偏位置にレリースワイヤを通す枝管４が配設されている。【００２４】  図２、３、４は、継手本体１が上面部に給水排水口３を配し、側面部に出水排水管５、レリースワイヤを通す枝管４を設けた場合のものであり、図５、６、７は、継手本体１１が上面部に給水排水口３を配し、側面部に出口排水管５のみを設け、レリースワイヤを通す枝管４がキャップ２１に設けられている場合のものである。【００２５】  なお、出水排水管５、及びレリースワイヤを通す枝管４などの配設位置は上記位置に必ずしも限定するものでない。【００２６】  図８は、キャップ２１の上下方向、又は左右方向を変更しても密着接合に支障しない互換性ある排水クロス継手であることを説明するものである。
継手本体１、１１とキャップ２、２１との排水クロス継手Ｃは、キャップ２、２１の上下方向又は左右方向を変更しても継手本体１、１１の開口１２に密着接合し、互換性を要し、レリースワイヤを通す枝管４が偏位置に配設されたキャップ２１にあっては、キャップ２１が上下方向又は左右方向を変更しても継手本体１１の開口１２へ密着接合可能に形成されているので、レリースワイヤを通す枝管４の位置が変えられたパターンの排水クロス継手Ｃが得られることになる。
即ち、継手本体１１とキャップ２１とをａなる接合がされれば、レリースワイヤを通す枝管４は右方へ偏り、キャップ２１の上下方向、又は左右方向を変更してｂなる接合がされれば、レリースワイヤを通す枝管４は、左方へ偏る排水クロス継手Ｃが形成される。【００２７】  なお、図８は、図５、６、７の出水排水管５のみが配設された継手本体と、レリースワイヤを通す枝管４が設けられたキャップ２１との接合パターンを示すものであるが、図９で示すように、図２、３、４の如く、出水排水管５とレリースワイヤを通す枝管４とが配設された継手本体１と、何も配設されていないキャップ２とが接合されたパターンであってもよく、各々が互換性あるものであることは云うまでもない。【００２８】  よって、本発明の排水クロス継手Ｃは、浴槽Ａなどへの取り付けでは、薄い多角形柱状の偏平なものであるので、クリアランスのない狭い床下での設置、施工が容易にできる上、浴槽Ａの排水金具Ｂへの取り付けも給水排水口３で堅固にでき、レリースワイヤを通す枝管４の配設位置も、数種の継手本体１、１１とキャップ２、２１との種々の選択組合せ接合でできるので、複数のパターンの配管施工にも対応できるものである。【００２９】  そして、本発明の排水クロス継手Ｃは、単に薄い偏平なものであるだけでなく、貯溜部１５と排水ガイド部１４とを形成した多角形柱状にしたので、給水排水口３より流れ込んだ排水が充分に貯溜し、この貯溜した排水の圧力で一気に出水排水管５へ吐出され、且つ、それも排水ガイド部１４が角錐台状をしているので、流暢な流れとすることができる。【００３０】  また、本発明の排水クロス継手Ｃは、出水排水管５、及びレリースワイヤを通す枝管４などを設けた継手本体１、１１とキャップ２、２１とによる組合せによる構成のものにあるので、複雑な構成でも、これをパーツによって成形ができる上、このパーツを組合せることによって、種々の出水排水管５、レリースワイヤを通す枝管４の位置パターンが形成することができる。
そして、また、このキャップ２、２１と継手本体１、１１との組合せが継手本体１、１１の側面部に形成した出水排水管５配設位置より遥かに遠い開口１２で接合が行なわれるので、出水排水管５に加わった応力で、その接合部分に影響を及し、亀裂を起させることがないものである。
【図面の簡単な説明】
【００３１】
【図１】  排水クロス継手の取り付け状態図である。
【図２】  継手本体に出水排水管及びレリースワイヤを通す配設する排水クロス継手の上面図である。
【図３】  その排水クロス継手の前側面図である。
【図４】  その排水クロス継手の横側面図である。
【図５】  継手本体に出水排水管のみを配設し、レリースワイヤを通す枝管をキャップに設けた排水クロス継手の上面図である。
【図６】  その排水クロス継手の前側面図である。
【図７】  その排水クロス継手の横側面図である。
【図８】  排水クロス継手の組合せパターン説明図である。
【図９】  排水クロス継手の組合せ説明図である。
【符号の説明】
【００３２】Ａ        浴槽
Ｂ        排水金具
Ｃ        排水クロス継手
Ｗ        レリースワイヤ
１、１１  継手本体
１２      開口
１３      凸部分
１４      排水ガイド部
１５      貯溜部
２、２１  キャップ
３        給水排水口
３１      螺合ネジ
４        レリースワイヤを通す枝管
５        出水排水管
【図１】
2007177593.tif 000003
【図２】
2007177593.tif 000004
【図３】
2007177593.tif 000005
【図４】
2007177593.tif 000006
【図５】
2007177593.tif 000007
【図６】
2007177593.tif 000008
【図７】
2007177593.tif 000009
【図８】
2007177593.tif 000010
【図９】
2007177593.tif 000011